(57)【要約】【課題】参加者に対し、現在プレゼンテーション中の資料に対応する情報ファイルを適切に提供することができる情報処理装置およびプログラムを提供すること。【解決手段】複数のデータからなる情報ファイルを記憶して、要求のあった所定のデータをクライアントに提供するホストコンピュータと、通信可能に接続された情報処理装置であって、記憶された第１および第２データを含む情報ファイルのうち第１データを画面に表示する表示手段と、表示手段の表示を第１データから第２データに更新する更新手段と、情報ファイルをホストコンピュータに送信する情報ファイル送信手段と、更新手段により表示手段の表示が第２データに更新されることを条件として、ホストコンピュータに対しそのホストコンピュータがクライアントに提供する情報ファイルを第２データに変更させる変更手段とを備える情報処理装置。【選択図】        図４
2008250468.tif 000002
【特許請求の範囲】
【請求項１】
クライアントからの要求に応じて、ホストコンピュータが記憶する複数のデータからなる情報ファイルのうち、所定のデータをそのクライアントに提供するホストコンピュータと、通信可能に接続された情報処理装置であって、
記憶部に記憶された第１データおよび第２データを含む情報ファイルのうち、第１データを画面に表示する表示手段と、
前記表示手段の表示を、前記第１データから前記第２データに更新する更新手段と、
前記情報ファイルを、前記ホストコンピュータに送信する情報ファイル送信手段と、
前記更新手段により、前記表示手段の表示が前記第２データに更新されることを条件として、前記ホストコンピュータに対し、そのホストコンピュータが前記クライアントに提供する情報ファイルを前記第２データに変更させる変更手段と、
を備えることを特徴とする情報処理装置。
【請求項２】
前記ホストコンピュータがクライアントに提供するデータを特定する識別情報を含む説明ファイルを、前記ホストコンピュータに送信する説明ファイル送信手段を備え、
前記情報ファイル送信手段は、前記情報ファイルのうち、前記表示手段により表示されるデータを送信するものであって、
前記変更手段は、前記更新手段により前記表示手段の表示が前記第１データから前記第２データに更新されることを条件として、前記情報ファイル送信手段により前記第２データを前記第１データとして送信することで、そのホストコンピュータが前記クライアントに提供する情報ファイルを前記第２データに変更させることを特徴とする請求項１に記載の情報処理装置。
【請求項３】
前記情報ファイル送信手段は、ホストコンピュータに送信するデータに所定のファイル名を付加して送信し、
前記説明ファイル送信手段は、前記所定のファイル名を、前記クライアントに提供するデータを特定する識別情報として送信し、
前記変更手段は、前記第１データに付加したファイル名と同じファイル名を前記第２データに付加して送信することで、そのホストコンピュータが前記クライアントに提供する情報ファイルを前記第２データに変更させるを特徴とする請求項２に記載の情報処理装置。
【請求項４】
前記ホストコンピュータがクライアントに提供するデータを特定する識別情報を含む説明ファイルを、前記ホストコンピュータに送信する説明ファイル送信手段を備え、
前記情報ファイル送信手段は、前記情報ファイルに含まれる各データについて、異なる識別情報を付加して送信し、
前記変更手段は、前記説明ファイル送信手段に、前記更新手段により前記表示手段の表示が前記第１データから前記第２データに更新されることを条件として、前記ホストコンピュータがクライアントに提供するデータを特定する識別情報として、前記第２データに付加した識別情報を送信させることで、そのホストコンピュータが前記クライアントに提供する情報ファイルを前記第２データに変更させることを特徴とする請求項１に記載の情報処理装置。
【請求項５】
前記情報ファイルに含まれる各データを画像データに変換する変換手段を備えることを特徴とする請求項１から４のいずれかに記載の情報処理装置。
【請求項６】
クライアントからの要求に応じて、ホストコンピュータが記憶する複数のデータからなる情報ファイルのうち、所定のデータをそのクライアントに提供するホストコンピュータと、通信可能に接続された情報処理装置として実行可能なコンピュータを、
記憶部に記憶された第１データおよび第２データを含む情報ファイルのうち、第１データを画面に表示する表示手段、
前記表示手段の表示を、前記第１データから前記第２データに更新する更新手段、
前記情報ファイルを、前記ホストコンピュータに送信する情報ファイル送信手段、
前記更新手段により、前記表示手段の表示が前記第２データに更新されることを条件として、前記ホストコンピュータに対し、そのホストコンピュータが前記クライアントに提供する情報ファイルを前記第２データに変更させる変更手段、
として機能させるためのプログラム。
【発明の詳細な説明】
【技術分野】
【０００１】
本発明は、情報受信者側の情報処理装置に対し、インターネットなどのネットワークを介して資料公開を行うようにした情報提供者側の情報処理装置及びプログラムに関し、特に情報提供側の情報処理装置の画面切り替えに従って情報受取側の携帯情報端末の画面も切り替わるようにした当該情報提供側の情報処理装置及びプログラムに関する。
【背景技術】
【０００２】
例えば、スライドショーを利用したプレゼンテーションでは、壇上のスクリーンにプレゼンテーション資料のデータを格納したパーソナルコンピュータ（ＰＣ）を接続し、資料をスライド表示させながら会場に集まった参加者にプレゼン内容の講演が行われる。
一方で、会場が広いためにスクリーンに表示された資料内容が分からないような所では、プレゼンタが管理するWWW（World Wide Web ）サーバ上にプレゼンテーション用資料を格納しておき、参加者が、自ら所有するブラウザ機能を備えた携帯端末装置などの情報処理装置によってサーバにアクセスし、講演内容を聞きながら閲覧するという方法もある。
【特許文献１】特開２００２−１７００７０号公報
【発明の開示】
【発明が解決しようとする課題】
【０００３】
しかし、このように情報処理装置を利用してプレゼンテーション資料を閲覧するような場合には、プレゼンタが資料をスライド表示させるのに合わせ、参加者自らが閲覧している画面を切り替える必要があった。そのため、例えば話しに集中して画面の切り替えを忘れてしまい、気づいた時にはどの画面が今の講演内容と対応するのかが分からなくなってしまうことがある。そうすると、閲覧可能なプレゼンテーション資料であっても、結果として有効に利用されないものとなってしまう。
【０００４】
そこで、本発明は、かかる課題を解決すべく、参加者に対し、現在プレゼンテーション中の資料に対応する情報ファイルを適切に提供することができる情報処理装置およびプログラムを提供することを目的とする。
【課題を解決するための手段】
【０００５】
請求項１に係る情報処理装置は、クライアントからの要求に応じて、ホストコンピュータが記憶する複数のデータからなる情報ファイルのうち、所定のデータをそのクライアントに提供するホストコンピュータと、通信可能に接続されたものであって、記憶部に記憶された第１データおよび第２データを含む情報ファイルのうち、第１データを画面に表示する表示手段と、前記表示手段の表示を、前記第１データから前記第２データに更新する更新手段と、前記情報ファイルを、前記ホストコンピュータに送信する情報ファイル送信手段と、前記更新手段により、前記表示手段の表示が前記第２データに更新されることを条件として、前記ホストコンピュータに対し、そのホストコンピュータが前記クライアントに提供する情報ファイルを前記第２データに変更させる変更手段とを備えることを特徴とする。
【０００６】
請求項２に係る情報処理装置は、請求項１に記載のものであって、前記ホストコンピュータがクライアントに提供するデータを特定する識別情報を含む説明ファイルを、前記ホストコンピュータに送信する説明ファイル送信手段を備え、前記情報ファイル送信手段は、前記情報ファイルのうち、前記表示手段により表示されるデータを送信するものであって、前記変更手段は、前記更新手段により前記表示手段の表示が前記第１データから前記第２データに更新されることを条件として、前記情報ファイル送信手段により前記第２データを前記第１データとして送信することで、そのホストコンピュータが前記クライアントに提供する情報ファイルを前記第２データに変更させることを特徴とする。
【０００７】
請求項３に係る情報処理装置は、請求項２に記載のものであって、前記情報ファイル送信手段は、ホストコンピュータに送信するデータに所定のファイル名を付加して送信し、前記説明ファイル送信手段は、前記所定のファイル名を、前記クライアントに提供するデータを特定する識別情報として送信し、前記変更手段は、前記第１データに付加したファイル名と同じファイル名を前記第２データに付加して送信することで、そのホストコンピュータが前記クライアントに提供する情報ファイルを前記第２データに変更させるを特徴とする。
【０００８】
請求項４に係る情報処理装置は、請求項１に記載のものであって、前記ホストコンピュータがクライアントに提供するデータを特定する識別情報を含む説明ファイルを、前記ホストコンピュータに送信する説明ファイル送信手段を備え、前記情報ファイル送信手段は、前記情報ファイルに含まれる各データについて、異なる識別情報を付加して送信し、前記変更手段は、前記説明ファイル送信手段に、前記更新手段により前記表示手段の表示が前記第１データから前記第２データに更新されることを条件として、前記ホストコンピュータがクライアントに提供するデータを特定する識別情報として、前記第２データに付加した識別情報を送信させることで、そのホストコンピュータが前記クライアントに提供する情報ファイルを前記第２データに変更させることを特徴とする。
請求項５に係る情報処理装置は、請求項１から４のいずれかに記載のものであって、前記情報ファイルに含まれる各データを画像データに変換する変換手段を備えることを特徴とする。
【０００９】
請求項６に係るプログラムは、クライアントからの要求に応じて、ホストコンピュータが記憶する複数のデータからなる情報ファイルのうち、所定のデータをそのクライアントに提供するホストコンピュータと、通信可能に接続された情報処理装置として実行可能なコンピュータを、記憶部に記憶された第１データおよび第２データを含む情報ファイルのうち、第１データを画面に表示する表示手段、前記表示手段の表示を、前記第１データから前記第２データに更新する更新手段、前記情報ファイルを、前記ホストコンピュータに送信する情報ファイル送信手段、前記更新手段により、前記表示手段の表示が前記第２データに更新されることを条件として、前記ホストコンピュータに対し、そのホストコンピュータが前記クライアントに提供する情報ファイルを前記第２データに変更させる変更手段として機能させるためのプログラムである。
【発明の効果】
【００１０】
本発明における情報処理装置は、表示手段に表示するデータが更新されると、ホストコンピュータに対して、そのホストコンピュータがクライアントの要求に応じて提供する情報ファイルのうち、所定のデータを、表示手段に表示するデータに変更させる。したがって、ホストコンピュータを介して情報ファイル（例えば、プレゼンテーション資料）を閲覧しているクライアントの利用者（参加者）に対し、現在プレゼンテーション中の資料に対応するデータを適切に提供することができる。
さらに、情報処理装置は、ホストコンピュータがクライアントに提供するデータを特定する識別情報を含む説明ファイルを、そのホストコンピュータに送信するとよい。
そして、表示手段に表示されるデータが更新されると、その更新されるデータを、更新前のデータとして送信するとよい。このような構成では、ホストコンピュータが説明ファイルにしたがって、クライアントに提供するデータを特定しているため、そのデータが新しいデータになった場合であっても、表示手段による表示が更新されるデータをホストコンピュータに送信するだけで、ホストコンピュータがクライアントに提供するデータが更新後のデータに変更される。したがって、必要なときに必要なデータを送信するだけで、参加者に対し、現在プレゼンテーション中の資料に対応するデータを適切に提供することができる。
具体的には、更新前のデータのファイル名と、更新後のデータのファイル名を同じファイル名にして、ホストコンピュータに送信するとよい。説明ファイルには、識別情報としてファイル名を記載しておくだけで、参加者に対し、現在プレゼンテーション中の資料に対応するデータを適切に提供することができる。
【００１１】
また、情報処理装置は、予め情報ファイルのすべてのデータをホストコンピュータに送信しておき、表示手段に表示されるデータが更新されると、その更新されるデータが、ホストコンピュータがクライアントに提供するデータである新たな説明ファイルをホストコンピュータに送信するとよい。ホストコンピュータは、説明ファイルに基づき情報ファイルをクライアントに提供するため、説明ファイルを送信するだけで、更新後のデータをクライアントに提供可能となる。具体的には、ホストコンピュータに送信する各データのファイル名を、識別情報として説明ファイルに含ませて送信すればよい。
さらに、情報ファイルに含まれる各データを画像データに変換するとよい。このような構成により、参加者が使用するクライアントで専用のアプリケーションを必要とすることなく、参加者に対してプレゼンテーション資料を適切に提供することができる。
なお、説明ファイルに、クライアントが自動的に所定間隔でその取得する映像を更新するようにコマンドを含ませることで、参加者が意識して操作しなくても、自動的に参加者が使用するクライアントでの表示を更新させることができる。説明ファイルには、例えば、ＨＴＭＬ文書が挙げられる。
また、請求項６に記載のプログラムをコンピュータに機能させることで、上述の本発明における効果を得られる情報処理装置として実現可能である。
【発明を実施するための最良の形態】
【００１２】
次に、本発明に係る情報処理装置及びプログラムの一実施形態を図面を参照しながら以下に説明する。図１は、本実施形態の情報処理装置について使用形態の一例を示した図であり、例えば、前述したように、後ろの方からは壇上のスクリーンが確認できないような、広い会場でのプレゼンテーションに使用する場合を想定したものである。
【００１３】
情報処理装置１は、そのプレゼンテーションに使用される情報提供者側のＰＣ（以下、「プレゼンタ」とする）であり、例えばマイクロソフト（登録商標）社製のパワーポイント（登録商標）で作成したプレゼンテーション資料を画像ファイルとして格納し、接続したスクリーン２に資料をスライド表示する画像表示ソフトを備えるものである。また、このプレゼンタ１は、ＦＴＰ（File Transfer Protocol）機能を備えたものであり、接続されたインターネット３などのネットワークを介してファイルの転送が可能なものである。
【００１４】
一方、プレゼンテーション会場にはブラウザ機能を備えたノートパソコンやＰＤＡなどの情報処理装置５を所有する参加者がおり、その情報処理装置（以下、「クライアント」とする）５のディスプレイに表示される資料内容を閲覧することができるようになっている。すなわち、プレゼンタ１は、プレゼンテーション資料用の画像ファイルをウェブサーバとして機能するホストコンピュータ４に転送し、クライアント５が、ホストコンピュータ４へのアクセスすることによってプレゼンテーション資料の画像が閲覧できるようになっている。
【００１５】
そして、特に本実施形態では、プレゼンテーションの進行に伴い、プレゼンタ１がスライド表示を変更してスクリーン２の画面が変化した場合に、クライアント５が閲覧している画像もそれに従って自動的に切り替わるようにした点に特徴を有する。従って、本実施形態のプレゼンタ１には、クライアント５が閲覧している画像ファイルの内容が、スライド表示の変更に合わせて変換されるようにしたプログラムが格納されている。
そこで、このプログラムに基づいてプレゼンタ１が実行する、閲覧画像の変更処理について以下に説明する。
【００１６】
ここで、図２及び図３は、プレゼンタ１がプログラムを実行する前工程を示したフローチャート図であり、実際にプレゼンテーションを実行する前の準備工程を示した図である。
先ず、プレゼンタ１の電源が入れられるとディスプレイには起動画面が現れ、アイコンがダブルクリックされたり、スタートメニューからの選択によってプレゼンテーションソフトが立ち上がる。そこで、プレゼンタ１のディスプレイは、図６に示すスタート画面１０に切り替わる。
【００１７】
プレゼンテーションを実行する場合には、メニューバー１１の「スライドショー（Ｄ）」がクリックされ（Ｓ１００：ＹＥＳ）、それによってプレゼンテーション動作（Ｓ１０３）へと処理が進む。しかし、ここでは先ず、プレゼンテーションの準備処理が行われる。なお、プレゼンテーションの準備は、メニューバー１１の「ファイル（Ｆ）」がクリックされて処理が進められるが（Ｓ２００：ＹＥＳ）、そうでない場合には（Ｓ２００：ＮＯ）、他のメニューなどがクリックされ（Ｓ３００：ＹＥＳ）該当するメニュー処理が行われる（Ｓ３０１）。一方、何のアクションもない場合には（Ｓ１００，Ｓ２００，Ｓ３００：ＮＯ）、スタート画面１０はそのままで、指示待ちの状態になる。
【００１８】
「ファイル（Ｆ）」がクリックされると（Ｓ２００：ＹＥＳ）、スタート画面１０には図７に示すようにプルダウンメニュー１２が現れ、なにも指示がない場合は（Ｓ２０１〜Ｓ２０２：ＮＯ）メニューの指示待ち状態になる。一方、「ＦＴＰ設定」や「開く（Ｏ）」以外のメニューがクリックされたならば（Ｓ２０３：ＹＥＳ）、該当するメニュー処理が実行され（Ｓ２０４）、当該処理の終了によって図６に示すスタート画面１０に戻って再び指示待ちの状態になる。
【００１９】
そこで、プルダウンメニュー１２の中から「開く（Ｏ）」がクリックされると（Ｓ２０２：ＹＥＳ）、スタート画面１０には、図８に示すように、プレゼンテーション資料のデータが入ったファイルを選択するため、ファイルの管理場所を示したファイル選択ウインドウ１３が表示される（Ｓ２０５）。しかし、一旦開いたファイル選択ウインドウ１３であっても、「キャンセル」がクリックされると（Ｓ２０６：ＮＯ，Ｓ２０７：ＹＥＳ）、ファイル選択ウインドウ１３が閉じて再び図６に示すスタート画面１０に戻る。また、「開く（Ｏ）」も「キャンセル」もクリックされない場合には（Ｓ２０６，Ｓ２０７：ＮＯ）、そのまま一方がクリックされるまで指示待ちの状態となる。
【００２０】
今回、プレゼンテーション資料の画像ファイル（情報ファイル）はマイドキュメントに保存されている。そのため、ファイル選択ウインドウ１３について、ファイルの管理場所として「マイドキュメント」が選択され、ファイルを選択して「開く（Ｏ）」のボタンがクリックされると（Ｓ２０２：ＹＥＳ）、「マイドキュメント」に管理されているファイルの中から、指定されたプレゼンテーション用の画像ファイルが開かれる（Ｓ２０８）。このとき、ファイルが壊れていたり、異なる形式のファイルが選択されたような場合にはエラーとなり（Ｓ２０９：ＹＥＳ）、再びＳ２０６に戻ってファイル開示の操作が行われる。一方、ファイルが適切に開いて読み出された場合には（Ｓ２０９：ＮＯ）、図６に示すスタート画面１０に戻って次の指示待ち状態になる。
【００２１】
こうしてプレゼンテーション資料の画像ファイルが選択されると、続いてプレゼンタ１のＦＴＰ設定が行われる。そこで、再びスタート画面１０においてメニューバー１１の「ファイル（Ｆ）」がクリックされる（Ｓ２００：ＹＥＳ）。スタート画面１０には図７に示すようにプルダウンメニュー１２が現れるため、次に「ＦＴＰ設定」がクリックされる（Ｓ２０１：ＹＥＳ）。すると、スタート画面１０には、図９に示すように、ホストコンピュータを選択するためのホスト選択ウインドウ１４が表示される（Ｓ２１０）。
【００２２】
この場合、「閉じる（Ｏ）」がクリックされると（Ｓ２１１：ＮＯ，Ｓ２１２：ＹＥＳ）、開いたホスト選択ウインドウ１４が閉じられ、再び図６に示すスタート画面１０に戻る。一方、ホスト選択ウインドウ１４が開いた後、何のアクションもない場合には（Ｓ２１１〜Ｓ２１３：ＮＯ）、そのままで指示待ちの状態になる。また、「接続（Ｓ）」及び「閉じる（Ｏ）」以外のボタンがクリックされた場合には（Ｓ２１３：ＹＥＳ）、該当する処理が実行され（Ｓ２１４）、当該処理の終了によって図６に示すスタート画面１０に戻って再び指示待ちの状態になる。
【００２３】
そして、ホスト選択ウインドウ１４において、特定のホストコンピュータが指定され「接続（Ｓ）」がクリックされると（Ｓ２１１：ＹＥＳ）、このプレゼンタ１が、指定されたホストコンピュータ４とファイル送信可能な状態に接続される。ただし、このときネットワーク上のトラブルなどでホストコンピュータ４との接続が適切に行われないような場合にはエラーとなり（Ｓ２１６：ＹＥＳ）、再びＳ２１１に戻って接続操作が必要となる。そして、適切に接続された場合には（Ｓ１６：ＮＯ）、図６に示すスタート画面１０に戻って指示待ち状態になる。
【００２４】
こうしてプレゼンテーション資料に使用するファイルの読み出しと、ホストコンピュータ４への接続との準備が終了し、プレゼンテーションの実行が可能になる。そこで、図６に示すスタート画面１０において、メニューバー１１の「スライドショー（Ｄ）」がクリックされる（Ｓ１００：ＹＥＳ）。すると、プレゼンテーション資料のファイルが選択されているか否か（Ｓ１０１）、及びホストコンピュータとの接続がされているか否か（Ｓ１０２）について確認が行われる。そして、ファイルの選択とホストコンピュータとの接続が行われていれば（Ｓ１０１，Ｓ１０２：ＮＯ）、プレゼンテーション動作へと進むことになる（Ｓ１０３）。
【００２５】
一方、プレゼンテーション資料のファイルが選択されないまま「スライドショー（Ｄ）」がクリックされた場合には（Ｓ１０１：ＹＥＳ）、プレゼンテーション資料のファイルが未選択である旨のエラー表示が不図示のウインドウで表示される（Ｓ１０４）。この場合は、改めてファイル選択が必要になるため、当該ウインドウの「閉じる（Ｏ）」がクリックされるのを待って（Ｓ１０５：ＹＥＳ）図６に示すスタート画面１０に戻る。また、ホストコンピュータとの接続が行われないまま「スライドショー（Ｄ）」がクリックされた場合には（Ｓ１０２：ＹＥＳ）、未接続である旨のエラー表示が不図示のウインドウで表示される（Ｓ１０６）。この場合も、改めて接続処理が必要になるため、当該ウインドウの「閉じる（Ｏ）」がクリックされるのを待って（Ｓ１０７：ＹＥＳ）図６に示すスタート画面１０に戻る。
【００２６】
続いて、プレゼンテーション動作について説明する。図４は、プレゼンタ１によるプレゼンテーション動作の処理の第１実施形態を示したフローチャート図である。
プレゼンテーションでは、プレゼンタ１により表示されている画像、すなわち、複数ページからなる画像ファイルの所定のページの画像（所定のデータ）がスクリーン２に同時に映し出され、講演内容に合わせてプレゼンタ１の画像が表示されることによりスクリーン２の画像も切り替えられる。そして、本実施形態では、プレゼンタ１からホストコンピュータ４に画像ファイルの書き込みが行われ、クライアント５ではその画像が閲覧できるようになっている。そのため、先ずホストコンピュータ４には、クライアント５がアクセスするＨＴＭＬファイルの転送が必要になる。
【００２７】
そこで、プレゼンテーション動作（図３のＳ１０３）に入ったプレゼンタ１は、図１０に示すＨＴＭＬファイル（説明ファイル）をホストコンピュータ４に書き込む（Ｓ４０１）。このＨＴＭＬファイルは、〈html〉〜〈/html〉のタグで挟まれた範囲内の文書が、ＨＴＭＬ言語を使って記入されていることを、ブラウザ機能を備えたクライアント５に把握させるための記入であることを示している。
【００２８】
また、〈head〉〜〈/head〉のタグの間には、ヘッダ情報が記入され、本実施形態では〈meta http−equiv＝″refresh″content＝″60″〉及びプレゼンテーションのタイトルが記入されている。前者は、クライアント５に対し６０秒毎にホストコンピュータ４への呼び込みを実行させるコマンドであり、後者の〈title〉〜〈/title〉のタグの間には、タイトルバーに表示されるタイトルが記入される。
更に、〈body〉〜〈/body〉のタグの間には、クライアント５に表示される内容が記入される。すなわち、ホストコンピュータ４に転送され、クライアント５によって閲覧可能なプレゼンテーション資料の画像ファイルにおけるスクリーン２に表示中のページに対応する画像データのファイル名が記入される。
【００２９】
そして、プレゼンテーション動作に入ると、プレゼンタ１は、こうしたＨＴＭＬファイルをホストコンピュータ４に転送することになる（Ｓ４０１）。そして、プレゼンタ１は、選択されたページに対応する画像を画面に表示するとともに（Ｓ４０２）、選択されたページの画像ファイルを画像データ（例えば、ＪＰＥＧ形式で圧縮したデータ）に変換して、ホストコンピュータ４に転送する（Ｓ４０３）。このとき転送する画像データのファイル名は、ＨＴＭＬファイルに記入されている画像ファイルのファイル名である。通常は、スライドショーが開始されると、１ページ目のスライドが選択され、その画像がプレゼンタ１のディスプレイやスクリーン２に表示され、対応するページの画像ファイルにおける画像データがホストコンピュータ４に転送される。
【００３０】
これにより、プレゼンテーションに際して予め通知されたＵＲＬに従い、クライアント５がＨＴＭＬファイル及び画像ファイルにアクセスすることにより、スクリーン２に表示されている画像と同じ画像を閲覧することができる。
その後、プレゼンタ１に対して何の操作も行われない場合は（Ｓ４０４〜Ｓ４０７：ＮＯ）、スクリーン２の画面はそのままである。一方、クライアント５は、ＨＴＭＬファイルに６０秒サイクルでの呼び込みを実行させるコマンドが含まれているため、再びホストコンピュータ４の画像ファイルにアクセスするが、同じ画像ファイルであるため閲覧画像には変化がない。
【００３１】
そして、スライドを変更するためにプレゼンタ１が操作され、キーボードの下矢印キーが押されたり（Ｓ４０４：ＹＥＳ）、マウスで左クリックが行われると（Ｓ４０５：ＹＥＳ）、次のページの画像が表示される。その場合、いままで表示されていた画像が最終ページか否かが確認され（Ｓ４１２）、最終ページであれば（Ｓ４１２：ＹＥＳ）、それ以上のスライドがないため、画面がメニュー画面に戻ることになる。しかし、最後のページでなければ（Ｓ４１２：ＮＯ）、次のページのスライドが選択ページとして設定される（Ｓ４１３）。
【００３２】
そのため、Ｓ４０２に戻り、選択されたページに対応するスライドがプレゼンタ１やスクリーン２に表示されるとともに、選択されたページの画像ファイルが画像データに変換され、ホストコンピュータ４に転送される。このとき転送する画像データのファイル名は、ＨＴＭＬファイルに記入されている画像ファイルのファイル名である。そのため、例えば、それまでホストコンピュータ４に格納されている画像ファイル１が、選択された新たな画像ファイル２に書き替えられることになる（Ｓ４０３）。
クライアント５は、ＨＴＭＬファイルに６０秒サイクルでの呼び込みを実行させるコマンドが含まれているため、再びホストコンピュータ４の画像ファイルにアクセスし、画像ファイルを読み込む。すると、書き替えられた新たな画像を読み込むことになるため、クライアント５は、スクリーン２に表示されたものと同じ画像を閲覧することが可能になる。
【００３３】
一方、上矢印キーが押されると（Ｓ４０６：ＹＥＳ）、前のページの画像が表示される。その場合、いままで表示されていた画像が最初のページか否かが確認され（Ｓ４１４）、最初のページであれば（Ｓ４１４：ＹＥＳ）、それ以前のスライドがないため、画面は変わらずにＳ４０４に戻る。一方、最初のページでない場合には（Ｓ４１４：ＮＯ）、前のページのスライドが選択ページとして設定される（Ｓ４１５）。
【００３４】
そのため、Ｓ４０２に戻り、選択されたページに対応するスライドがプレゼンタ１やスクリーン２に表示されるとともに、選択されたページの画像ファイルがホストコンピュータ４に転送される。そのため、例えば、それまでホストコンピュータ４に格納されている画像ファイル６が、選択された新たな画像ファイル５に書き替えられることになる（Ｓ４０３）。
そして、クライアント５は、ＨＴＭＬファイルに６０秒サイクルでの呼び込みを実行させるコマンドが含まれているため、再びホストコンピュータ４の画像ファイルにアクセスし、画像ファイルを読み込む。すると、書き替えられた新たな画像を読み込むことになるため、クライアント５は、スクリーン２に表示されたものと同じ画像を閲覧することになる。
【００３５】
また、スライドの切り換えには、こうした操作以外にもマウスを右クリックする場合がある。その場合、図１２に示すように画面にはサブメニュー１５が表れる（Ｓ４０８）。そして、「次へ（Ｎ）」がクリックされれば（Ｓ４０９：ＹＥＳ）前述したＳ４１２、Ｓ４１３、Ｓ４０２及びＳ４０３の処理が行われる。そして、「前へ（Ｐ）」がクリックされれば（Ｓ４１０：ＹＥＳ）、前述したＳ４１４、Ｓ４１５、Ｓ４０２及びＳ４０３の処理が行われる。更に、「スライドショーの終了（Ｓ）」がクリックされた場合には（Ｓ４１１：ＹＥＳ）、画面はメニュー画面に戻ることになる。
【００３６】
よって、本実施形態の情報処理装置であるプレゼンタ１によれば、画像ファイルを一定時間間隔で閲覧するようにした内容のＨＴＭＬファイルをホストコンピュータ４に格納しておき、スライドを変更させる毎に、その選択されたページの画像ファイルをホストコンピュータ４に転送して書き替えるようにしたことで、そのＨＴＭＬファイルにアクセスするクライアント５が閲覧する画像を、スクリーン２の表示に合わせて自動的に切り替えることができるようになった。従って、スクリーン２が見えないような大会場でも、プレゼンテーション資料を確認しながら講演を聴くことができ、画面の切り換えを自ら行う必要がないため、より講演に集中することができるようになった。
【００３７】
続いて、図５は、プレゼンタ１によるプレゼンテーション動作の第２実施形態を示したフローチャート図である。
前述した図４の第１実施形態では、プレゼンタ１のスライド表示に合わせて、ホストコンピュータ４への画像ファイルの書き替えを行っていた。しかし、今回は、全てのスライドに対応した画像ファイルを予めホストコンピュータ４に格納しておくようにしたものである。
【００３８】
本実施形態のＨＴＭＬファイルは、図１１に示すように構成されている。ブラウザの表示内容を示すタグである〈body〉〜〈/body〉の間には、例えば全ての画像ファイルの中から、第３のスライドの画像ファイルに対応する画像データ（ファイル名が「filmslide３.jpg 」）をクライアント５に参照させるコマンド〈img src＝″filmslide３.jpg″〉が設けられている。そして、本実施形態でも、クライアント５に６０秒毎に呼び込みを実行させるコマンドが含まれている。
【００３９】
そこで、図５に示すように、スライドショーが開始されたプレゼンテーション動作では、前述したように、先ず全てのページの画像ファイルをそれぞれ別のファイル名の画像データに変換してホストコンピュータ４に転送する（Ｓ５０１）。そして、プレゼンタ１は、選択されたページに対応するスライドを画面に表示するとともに（Ｓ５０２）、選択されたページの画像ファイル指定するＨＴＭＬファイル（すなわち、選択されたページの画像ファイルに対応する画像データのファイル名を含むＨＴＭＬファイル）をホストコンピュータ４に転送する（Ｓ５０３）。通常は、スライドショーが開始されると、１ページ目のスライドが選択される。そのため、その画像がプレゼンタ１のディスプレイやスクリーン２に表示され、対応する画像ファイルを参照させるＨＴＭＬファイルがホストコンピュータ４に転送される。
【００４０】
これにより、プレゼンテーションに際して予め通知されたＵＲＬに従い、クライアント５がＨＴＭＬファイル及び画像ファイルにアクセスすることにより、スクリーン２に表示されている画像と同じ画像を閲覧することができる。
その後、プレゼンタ１に対して何の操作も行われない場合は（Ｓ５０４〜Ｓ５０７：ＮＯ）、スクリーン２の画面はそのままである。一方、クライアント５は、ＨＴＭＬファイルに６０秒サイクルでの呼び込みを実行させるコマンドが含まれているため、再びホストコンピュータ４の画像ファイルにアクセスするが、同じＨＴＭＬファイルであるため閲覧画像には変化がない。
【００４１】
そして、スライドを変更のためにプレゼンタ１が操作され、キーボードの下矢印キーが押されたり（Ｓ５０４：ＹＥＳ）、マウスで左クリックが行われると（Ｓ５０５：ＹＥＳ）、次のページの画像が表示される。その場合、いままで表示されていた画像が最終ページか否かが確認され（Ｓ５１２）、最終ページであれば（Ｓ５１２：ＹＥＳ）、それ以上のスライドがないため、画面がメニュー画面に戻ることになる。しかし、最後のページでなければ（Ｓ５１２：ＮＯ）、次のページのスライドが選択ページとして設定される（Ｓ５１３）。
【００４２】
そのため、Ｓ５０２に戻り、選択されたページに対応するスライドがプレゼンタ１やスクリーン２に表示されるとともに、選択されたページの画像ファイルを参照させるＨＴＭＬファイルがホストコンピュータ４に転送される。そのため、例えば、それまでホストコンピュータ４に格納されている画像ファイル１を参照させるＨＴＭＬファイルが、選択された新たな画像ファイル２を参照させるＨＴＭＬファイルに書き替えられることになる（Ｓ５０３）。
【００４３】
そこで、ＨＴＭＬファイルには６０秒サイクルでの呼び込みを実行させるコマンドが含まれているため、クライアント５が再びホストコンピュータ４のＨＴＭＬファイルにアクセスする。すると今回は、参照する画像ファイルのコマンドが前回とは異なっているので、クライアント５は、指定された新たな画像ファイルにアクセスすることになる。そのため、新たな画像を読み込んだクライアント５は、スクリーン２に表示されたものと同じ画像を閲覧することが可能になる。
【００４４】
一方、上矢印キーが押されると（Ｓ５０６：ＹＥＳ）、前のページの画像が表示される。その場合、いままで表示されていた画像が最初のページか否かが確認され（Ｓ５１４）、最初のページであれば（Ｓ５１４：ＹＥＳ）、それ以前のスライドがないため、画面は変わらずにＳ５０４に戻る。一方、最初のページでない場合には（Ｓ５１４：ＮＯ）、前のページのスライドが選択ページとして設定される（Ｓ５１５）。
【００４５】
そのため、Ｓ５０２に戻り、選択されたページに対応するスライドがプレゼンタ１やスクリーン２に表示されるとともに、選択されたページの画像ファイルを参照させるＨＴＭＬファイルがホストコンピュータ４に転送される。そのため、例えば、それまでホストコンピュータ４に格納されている画像ファイル６を参照させるＨＴＭＬファイルが、選択された新たな画像ファイル５を参照させるＨＴＭＬファイルに書き替えられることになる（Ｓ５０３）。
そして、ＨＴＭＬファイルに６０秒サイクルでの呼び込みを実行させるコマンドが含まれているため、クライアント５は再びホストコンピュータ４のＨＴＭＬファイルにアクセスし、画像ファイルを読み込むことで、スクリーン２に表示されたものと同じ画像を閲覧することが可能になる。
【００４６】
また、スライドの切り換えがマウスの右クリックによるその場合には、図１２に示すように画面にはサブメニュー１５が表れる（Ｓ５０８）。そして、「次へ（Ｎ）」がクリックされれば（Ｓ５０９：ＹＥＳ）前述したＳ５１２、Ｓ５１３、Ｓ５０２及びＳ５０３の処理が行われる。そして、「前へ（Ｐ）」がクリックされれば（Ｓ５１０：ＹＥＳ）、前述したＳ５１４、Ｓ５１５、Ｓ５０２及びＳ５０３の処理が行われる。更に、「スライドショーの終了（Ｓ）」がクリックされた場合には（Ｓ５１１：ＹＥＳ）、画面はメニュー画面に戻ることになる。
【００４７】
よって、本実施形態の情報処理装置であるプレゼンタ１によれば、画像ファイルを予めホストコンピュータ４に格納しておき、一定時間間隔でアクセスさせるようにしたＨＴＭＬファイルを、スライドを変更させる毎に該当ページの画像ファイルを参照するコマンドを記入したものに書き替えるようにしたことで、そのＨＴＭＬファイルにアクセスするクライアント５が、スクリーン２の表示の変更に合わせて所定の画像ファイルにアクセスするため、自動的に閲覧する画像を切り替えることができるようになった。従って、スクリーン２が見えないような大会場でも、プレゼンテーション資料を確認しながら講演を聴くことができ、画面の切り換えを自ら行う必要がないため、より講演に集中することができるようになった。
【００４８】
以上、本発明に係る情報処理装置及びプログラムについて一実施形態を説明したが、本発明はこれに限定されることなく、その趣旨を逸脱しない範囲で様々な変更が可能である。
例えば、前記実施形態では、６０秒間隔でクライアント５に呼び込みを実行させるようにしたが、プレゼンテーションに応じたスライドの切り換え間隔に合わせて長くしたり、短くしたりしてもよい。
【図面の簡単な説明】
【００４９】
【図１】実施形態の情報処理装置について使用形態の一例を示した図である。
【図２】情報処理装置がプレゼンテーション動作を実行する前工程（一部）を示したフローチャート図である。
【図３】情報処理装置がプレゼンテーション動作を実行する前工程（一部）を示したフローチャート図である。
【図４】実施形態の情報処理装置によるプレゼンテーション動作の処理の第１実施形態を示したフローチャート図である。
【図５】実施形態の情報処理装置によるプレゼンテーション動作の処理の第２実施形態を示したフローチャート図である。
【図６】スタート画面を示す図である。
【図７】スタート画面に現れたプルダウンメニューを示した図である
【図８】スタート画面に現れたファイル選択ウインドウを示した図である。
【図９】スタート画面に現れたホスト選択ウインドウを示した図である。
【図１０】第１実施形態のＨＴＭＬファイルを示した図である。
【図１１】第２実施形態のＨＴＭＬファイルを示した図である。
【図１２】スライドショー実行画面に現れたサブメニューを示した図である。
【符号の説明】
【００５０】
１    情報処理装置（プレゼンタ）
２    スクリーン
３    インターネット
４    ホストコンピュータ
５    情報処理装置（クライアント）
【図１】
2008250468.tif 000003
【図２】
2008250468.tif 000004
【図３】
2008250468.tif 000005
【図４】
2008250468.tif 000006
【図５】
2008250468.tif 000007
【図６】
2008250468.tif 000008
【図７】
2008250468.tif 000009
【図８】
2008250468.tif 000010
【図９】
2008250468.tif 000011
【図１０】
2008250468.tif 000012
【図１１】
2008250468.tif 000013
【図１２】
2008250468.tif 000014